(57)【要約】【課題】電気的な駆動部を有さない簡易な構成で、高性能の可変形ミラーを有する光ピックアップ装置を提供する。【解決手段】光ピックアップ装置４において、可変形ミラー１９を一方の面にミラー層１９ａを有し特定波長の光を照射することで屈曲及び復元する光屈曲性プラスチック１９ｂで構成したものを用い、特定波長の光を出射する可変形ミラー用光源２４を設けた。【選択図】図２
2007334995.tif 000002
【特許請求の範囲】
【請求項１】
波長の異なる複数の光源と、
前記光源から出射されるレーザ光を光ディスクの記録面に集光し、
前記記録面からの反射光を光検出器へと導く光学系とを備える光ディスク装置において、
前記光学系には、
第１波長の光の照射により屈曲し、第２波長の光の照射により元の形状に復元するシート状の光屈曲性プラスチックと、
前記光屈曲性プラスチックの一方の面上に設けられるハーフミラー性を有するミラー層とからなる可変形ミラーが配置され、
前記第１波長の光及び前記第２波長の光は、
前記複数の光源のうちのいずれかの光源から出射される光であることを特徴とする光ディスク装置。
【請求項２】
第１波長の光の照射により屈曲し、第２波長の光の照射により元の形状に復元するシート状の光屈曲性プラスチックと、
前記光屈曲性プラスチックの一方の面上に設けられるミラー層とを備えることを特徴とする可変形ミラー。
【請求項３】
前記光屈曲性プラスチックは照射される光の偏光方向に応じて選択的に屈曲方向が変化することを特徴とする請求項２に記載の可変形ミラー。
【請求項４】
少なくとも、レーザ光源と、対物レンズと、光検出器と、請求項２又請求項３に記載の可変形ミラーとを備えた光ピックアップ装置において、
前記可変形ミラーに、
前記第１波長の光を出射する第１光源と、
前記第２波長の光を出射する第２光源とが備えられることを特徴とする光ピックアップ装置。
【請求項５】
前記第１光源と前記第２光源が前記ミラー層と反対側に配置されたことを特徴とする請求項４に記載の光ピックアップ装置。
【請求項６】
前記ミラー層がハーフミラー性を有し、
前記第１光源と前記第２光源が前記ミラー層側に配置されたことを特徴とする請求項４に記載の光ピックアップ装置。
【請求項７】
前記第１光源と前記第２光源をレーザ光源と共通にして設けたことを特徴とする請求項６に記載の光ピックアップ装置。
【請求項８】
前記第１波長の光及び前記第２波長の光が光ディスク再生に用いるレーザ光の波長と共通することを特徴とする請求項７に記載の光ピックアップ装置。
【請求項９】
請求項３から請求項８のいずれかに記載の光ピックアップ装置を備えることを特徴とする光ディスク装置。
【発明の詳細な説明】
【技術分野】
【０００１】
本発明は、光ピックアップ装置等に備えられるミラーの鏡面形状を変形できる可変形ミラーに関する。また、本発明は、そのような可変形ミラーを備えた光ピックアップ装置と光ディスク装置に関する。
【背景技術】
【０００２】
光ピックアップ装置を使って、ＣＤ（コンパクトディスク）やＤＶＤ（デジタル多用途ディスク）等の光ディスクの情報を読み書きする際、光ピックアップ装置の光軸とディスク面の関係は、垂直であることが理想である。しかし、実際にディスクが回転している際、この関係は常に垂直というわけではない。このため、ＣＤやＤＶＤ等の光ディスクでは、ディスク面が光軸に対して傾いた時に、レーザ光の光路が曲げられて波面収差（主にコマ収差）が発生する。また、光ピックアップ装置で再生する光ディスクの交換により光ディスクの基板の厚さが変化すると、波面収差（主に球面収差）が発生する。
【０００３】
このような波面収差が発生した場合、光ディスク上に照射されたレーザ光のスポット位置は正しい位置からずれるため、波面収差が許容値を超えると、情報の正しい読み書きができないという問題が発生する。このため、従来から、可変形ミラーを用いて波面収差の補正が行われており、様々な可変形ミラーが提案されている。
【０００４】
例えば、薄いシリコン基板と薄い圧電薄膜で構成された可変形ミラーであって、シリコン基板の一方の面にミラー層が設けられ、シリコン基板のもう一方の面と薄い圧電薄膜の間には絶縁層が設けられ、薄い圧電薄膜の両面に接している電極の電極パターンに応じてミラー面を変形させる可変形ミラー（特許文献１参照）や、基板の裏側に設けられる円形のキャビティ側に反射膜が形成され、基板の表側に、下部電極、圧電薄膜、分割された上部電極が形成された可変形ミラー等である（特許文献２参照）。
【０００５】
これら従来の可変形ミラーはいずれも圧電薄膜を駆動するために電極を形成する必要があり、複雑な電気回路を設計する必要があった。また、微小な可変形ミラーを作成する際のハンドリングが非常に悪く、作業効率の面で問題があった。また、複雑な電気回路が必要となるため、光ピックアップ装置の小型化が困難であった。
【特許文献１】特開２００２−２７９６７７号公報
【特許文献２】特開２００５−３２２８６号公報
【発明の開示】
【発明が解決しようとする課題】
【０００６】
以上の問題点に鑑み、本発明の目的は、容易に作製でき、且つ小型化軽量化に優れる可変形ミラーを提供することである。また、本発明の他の目的は、容易に作製できる可変形ミラーを備えることにより、収差の補正を正確に行え、作製時の作業負担が少ない光ピックアップ装置及びそれを用いた光ディスク装置を提供することである。
【課題を解決するための手段】
【０００７】
上記目的を達成するために本発明は、波長の異なる複数の光源と、前記光源から出射されるレーザ光を光ディスクの記録面に集光し、前記記録面からの反射光を光検出器へと導く光学系とを備える光ディスク装置において、前記光学系には、第１波長の光の照射により屈曲し、第２波長の光の照射により元の形状に復元するシート状の光屈曲性プラスチックと、前記光屈曲性プラスチックの一方の面上に設けられるハーフミラー性を有するミラー層とからなる可変形ミラーが配置され、前記第１波長の光及び前記第２波長の光は、前記複数の光源のうちのいずれかの光源から出射される光であることを特徴とする光ディスク装置である。
【０００８】
また、上記目的を達成するために本発明は、第１波長の光の照射により屈曲し、第２波長の光の照射により元の形状に復元するシート状の光屈曲性プラスチックと、前記光屈曲性プラスチックの一方の面上に設けられるミラー層とを備えることを特徴とする可変形ミラーである。
【０００９】
また、本発明は、前記可変形ミラーにおいて、前記光屈曲性プラスチックは照射される光の偏光方向に応じて選択的に屈曲方向が変化することを特徴とする。
【００１０】
また、本発明は、少なくとも、レーザ光源と、対物レンズと、光検出器と、前記可変形ミラーとを備えた光ピックアップ装置において、前記可変形ミラーに、前記第１波長の光を出射する第１光源と、前記第２波長の光を出射する第２光源とが備えられることを特徴とする。
【００１１】
また、本発明は、上記光ピックアップ装置において、前記第１光源と前記第２光源が前記ミラー層と反対側に配置されたことを特徴とする。
【００１２】
また、本発明は、上記光ピックアップ装置において、前記ミラー層がハーフミラー性を有し、前記第１光源と前記第２光源が前記ミラー層側に配置されたことを特徴とする。
【００１３】
また、本発明は、上記光ピックアップ装置において、前記第１光源と前記第２光源を前記レーザ光源と共通にして設けたことを特徴とする
また、本発明は、上記光ピックアップ装置において、前記第１波長の光及び前記第２波長の光が光ディスク再生に用いるレーザ光の波長と共通することを特徴とする。
【００１４】
また、本発明は、上記光ピックアップ装置を備えることを特徴とする光ディスク装置。
【発明の効果】
【００１５】
本発明の第１の構成によれば、光ディスク装置内の光学系において、可変形ミラーは特定波長の光に対して屈曲性及び復元性を有するシート状の光屈曲性プラスチックの一方の面にハーフミラー性を有するミラー層を設けることにより形成されている。
【００１６】
この構成により、可変形ミラーは特定波長である第１波長の光と第２波長の光を切り替えて光屈曲性プラスチックに照射することで、光屈曲プラスチックを屈曲又は復元させ、その変形を自由に調整することができる。これにより、光屈曲性プラスチックの一方の面に設けたミラー層も自由に変形することができる。
【００１７】
このように、可変形ミラーが特定波長の光を駆動源にして変形するため、複雑な電気パターンを設計する必要がなく、簡易に可変形ミラーを作成することができる。また、可変形ミラーを含む光学系を小型化することも可能となる。
【００１８】
また、この可変形ミラーを用いた光ディスク装置において、光ディスクの記録面に集光するレーザ光の波長と可変形ミラーを変形するのに用いる特定波長の光の波長が同一となる光屈曲性プラスチックを可変形ミラーに用いることにより、光ディスクに集光するレーザ光を利用して可変形ミラーの変形制御が可能となる。これにより、可変形ミラーを変形するために用いる特定波長光源を設ける必要がなくなり、可変形ミラーを含む光学系をいっそう簡略化小型化することができる。
【００１９】
また、本発明の第２の構成によれば、特定波長の光に対して変形するシート状の光屈曲性プラスチックの一方の面上にミラー層を設けることにより、特定波長の光を照射することで可変形ミラーの変形を制御することができる。このため、従来の可変形ミラーのように、圧電薄膜等によりミラー層を駆動させる電極や複雑な電気回路は必要ない。また、この可変形ミラーに特定波長の光を遠隔からも照射することで可変形ミラーを遠隔から操作することができる。また、可変形ミラーの小型化薄型化を図るとともに、製造コストを抑え容易に高機能可変形ミラーを製造することができる。
【００２０】
また、本発明の第３の構成によれば、特定波長の光の照射により屈曲、復元する光屈曲性プラスチックにおいて、照射される光の偏光方向に応じて選択的に屈曲方向が変化する性質のものを用いることにより、照射する特定波長の光の偏光方向を制御することで、より複雑な可変形ミラーの変形制御が可能となる。これにより、例えば、光ピックアップ装置の一部にこの可変形ミラーを用いた場合収差補正を高精度で実現することが可能となる。
【００２１】
また、本発明の第４の構成によれば、上記可変形ミラーを光ピックアップ装置に用い可変形ミラーの変形制御をおこなうことにより、球面収差補正が可能となる。
【００２２】
また、本発明の第５の構成によれば、可変形ミラーに特定波長の光を照射し可変形ミラーを変形制御する第１光源及び第２光源をミラー層とは反対側に配置することで、可変形ミラーの背面から特定波長の光を出射し可変形ミラーを変形制御することができる。これにより、第１及び第２光源を可変形ミラーの背部に収納し可変形ミラーと一体化することで、光ピックアップ装置の小型化を図ることができる。
【００２３】
また、本発明の第６の構成によれば、可変形ミラーのミラー層にハーフミラー性を有するものを用いることで、特定波長の光を出射する第１光源及び第２光源をミラー層側に設けることができる。これにより、第１光源又は第２光源から出射された特定波長の光をミラー層に照射した場合、照射された光の一部がミラー層を透過し光屈曲性プラスチックに入射する。
【００２４】
これにより、光屈曲性プラスチックのミラー層と接する面が透過した特定波長の光を吸収し収縮するため光屈曲性プラスチックはミラー層の面が凹状になるように屈曲変形する。従って、特定波長の光源をミラー層側に設けても可変形ミラーを変形制御することができる。また、特定波長の光源を可変形ミラーの前方に設けることで、可変形ミラーの背部のスペースを省略することができる。
【００２５】
また、本発明の第７の構成によれば、光ピックアップ装置に用いるレーザ光源と、可変形ミラーを変形制御するために用いる第１光源及び第２光源を共通して設けることにより、第１光源及び第２光源のスペースを確保する必要がない。したがって、光ピックアップ装置の小型化をいっそう図ることができる。
【００２６】
また、本発明の第８の構成によれば、光ピックアップ装置において、レーザ光源から出射され光ディスクに集光するレーザ光の波長と可変形ミラーの変形を制御するために光屈曲性プラスチックに照射する第１波長の光及び第２波長の光を同一にすることにより、光ディスク再生用のレーザ光により可変形ミラーが変形制御される。
【００２７】
したがって、第１波長の光と同一のレーザ光が入射したとき、収差補正をおこなう形状に変形するよう可変形ミラーを予め設計しておけば、光ディスク再生時、可変形ミラーは前記レーザ光の入射を感知し自動的に変形し収差補正をおこなう。
【００２８】
また、第２波長の光と同一のレーザ光である場合、出射した第２波長のレーザ光は可変形ミラーに入射し、可変形ミラーが変形した状態にあるとき可変形ミラーを元の形状に復元する。また、変形前の可変形ミラーに第２波長のレーザ光が入射した場合、変形は発生しない。
【００２９】
従って、変形前の形状を第２波長のレーザ光に対して収差補正を行なう形状に可変形ミラーを設計しておけば、可変形ミラーは第２波長のレーザ光を感知して自動的に復元変形し前記レーザ光の収差補正をおこなう。このように、特別な制御機構を設けることなく可変形ミラーが所定のレーザ光を感知して、その波長に応じて変形し収差補正を行なうため、光ピックアップの収差補正機構を簡素化し、小型化することができる。
【００３０】
また、本発明の第９の構成によれば、上記光ピックアップ装置が有する性能を備えた光ディスク装置を提供することができる。
【発明を実施するための最良の形態】
【００３１】
以下、本発明の実施形態を、図面を用いて説明する。なお、ここで示す実施形態は一例であり、本発明はここに示す実施形態に限定されるものではない。
［実施例１］
【００３２】
図１は、本実施形態の光ディスク装置の構成を示すブロック図である。光ディスク装置１は、光ディスク１５の情報の再生、及び光ディスク１５への情報の記録を行うことができる。２は、スピンドルモータであり、光ディスク１５は、このスピンドルモータ２の上部に設けられるチャック部（図示せず）に着脱可能に保持される。そして、光ディスク１５の情報の記録再生を行う際に、スピンドルモータ２は光ディスク１５を連続回転する。スピンドルモータ２の回転制御は、スピンドルモータ制御部３によって行われる。
【００３３】
４は、光ピックアップ装置であり、光源から出射されるレーザ光を光ディスク１５に照射し、光ディスク１５への情報の書き込みと、光ディスク１５に記録されている情報の読み取りを可能とする。図２は、本実施形態に係る光ピックアップ装置４の光学系の構成を示す概略図である。図２に示すように、光ピックアップ装置４においては、レーザ光源１６から出射されたレーザ光は、コリメートレンズ１７で平行光となり、ビームスプリッタ１８を透過し、可変形ミラー１９で反射されてその光軸が光ディスク１５の記録面１５ａと略垂直とされ、1／４波長板２０を通過して対物レンズ２１によって光ディスク１５の情報が記録される記録面１５ａに集光される。
【００３４】
光ディスク１５で反射された反射光は、対物レンズ２１、1／４波長板２０の順に通過し、可変形ミラー１９で反射された後、更にビームスプリッタ１８で反射されて集光レンズ２２によって光検出器２３の受光部（図示せず）に集光される。光検出器２３は受光したレーザ光が有する光情報を電気信号に変換し、これらの信号情報は再生信号として、また、サーボ信号等として使用される。
【００３５】
なお、本実施形態においては、レーザ光源１６はＢＤ又はＨＤ−ＤＶＤに対しては光源の波長が４０５ｎｍ、ＤＶＤに対しては光源の波長が６５０ｎｍ、ＣＤに対して光源の波長が７８０ｎｍのレーザ光を出射する。
【００３６】
また、本実施形態の光ピックアップ装置４は可変形ミラー１９を備えているが、可変形ミラー１９は特定波長の光を照射することにより変形制御することが可能であり、可変系ミラー１９に入射する平行光のビーム径及び平行度を調整して射出することができる。また、この可変形ミラー１９の存在により、光ディスク１５の記録面１５ａを保護する保護層１５ｂの厚みが異なる複数種類の光ディスク１５に対して球面収差の補正を適切に行うことが可能となる。可変形ミラー１９の構成の詳細については後述する。
【００３７】
なお、可変形ミラー１９に特定波長を照射する可変形ミラー用光源２４の制御は、信号処理部８からの収差情報を取得する可変形ミラー用光源制御部６（図１参照）によって行われる。また、可変形ミラー用光源制御部６は、光ディスク装置１が記録再生する光ディスク１５の種類に応じて、可変計ミラー１９の変形制御を行なう。
【００３８】
図１に戻って、光ディスク装置１には信号処理部８が設けられており、この信号処理部８は、少なくともＲＦ信号処理部９とトラックエラー信号処理部１０とフォーカスエラー信号処理部１１とを含んでいる。そして、この信号処理部８において、光検出器２３（図２参照）で変換された電気信号に基づいて、ＲＦ信号、トラックエラー信号（ＴＥ信号）、フォーカスエラー信号（ＦＥ信号）を生成する。ＲＦ信号はデータ復調部１２でデータに復調され、図示しないインターフェースを介してパソコン等の外部機器に出力される。
【００３９】
ＴＥ信号及びＦＥ信号は、アクチュエータ制御部７に出力される。アクチュエータ制御部７は、これらの信号に基づいて、対物レンズ２１を移動可能とする図示しないアクチュエータに駆動信号を供給する。駆動信号が供給されたアクチュエータは、信号に基づいて各部を作動させて、対物レンズ２１を光軸と平行な方向に移動して、光ディスク１５の記録面１５ａにフォーカスを追従させるフォーカス制御や対物レンズ２１を光ディスク１５の半径方向と平行な方向に移動してレーザ光のスポット位置を光ディスク１５に形成されるトラック位置に追従させるトラッキング制御を行う。
【００４０】
その他、レーザ制御手段５は、光ピックアップ４に備えられる半導体レーザから成るレーザ光源１６（図２参照）のレーザ出力を制御する。また、全体制御部１３は、スピンドルモータ制御部３、レーザ制御部５、可変形ミラー用光源制御部６、アクチュエータ制御部７、信号処理部８、及びデータ復調部１２等を制御して、装置全体のコントロールを行う。
【００４１】
次に、本実施例に係る可変形ミラー１９について説明する。図２に示すように本実施例で用いる可変形ミラー１９はレーザ光源１６から出射した光を光ディスク１５の方向へ反射する。このとき、可変形ミラー１９はミラー層とは反対側に配置された可変形ミラー用光源２４から出射される特定波長の光により変形領域が制御されている。光ディスク１５を再生したとき発生する球面収差は可変形ミラーを変形させることにより補正することができる。
【００４２】
なお、光屈曲性プラスチックを利用した運動装置について従来いくつか発明がなされている（特開２００５−１６９５４９、特開２００５−２９１０２６）。しかし、光屈曲性プラスチックにミラー層を設けて可変形ミラーを形成し光学系装置に用いることについてこれまで考慮されてこなかった。したがって、本発明に係る可変形ミラーは、独創性に優れた新規の発明である。
【００４３】
次に可変形ミラー１９の変形動作について具体的に説明する。図３は、本実施形態に係る可変形ミラー１９の構造を示す概略断面図である。図３に示すように、可変形ミラー１９はシート上の光屈曲性プラスチック１９ｂの一方の面にミラー層１９ａを設けてなる。また、光屈曲性プラスチック１９ｂは特定の波長の光が照射されると屈曲し、前記特定波長より短波長の光を照射することにより元の形状に復元する性質を有する。
【００４４】
また、特定波長を出射する可変形ミラー用光源２４は可変形ミラー１９のミラー層１９ａとは反対側に配置されている。これにより、可変形ミラー１９の背部に可変形ミラー用光源２４と可変形ミラー１９とを一体化させユニット化することで装置全体の小型化を図ることができる。
【００４５】
また、可変形ミラー１９は光屈曲性プラスチック１９ｂに第１波長の光（実線矢印）を照射することにより屈曲する（図３（ａ）参照）。このとき光屈曲性プラスチック１９ｂの面上に設けられたミラー層１９ａも光屈曲性プラスチック１９ｂに従って屈曲し凸状の面を形成する。また、第２波長の光（点線矢印）を第１波長を照射した箇所に照射することにより光屈曲性プラスッチックは元の形状に復元される（図３（ｂ）参照）。
【００４６】
なお、図において、可変形ミラー用光源２４には波長の異なる第１波光源と第２波長光源が一体化した二波長一体型光源を用いているが、２つの光源を別個設けてもよい。
【００４７】
次に、光屈曲性プラスチック１９ｂの特性について説明する。光屈曲性プラスチック１９ｂは一方向にアゾベンゼン分子の配向性を揃え、その分子鎖を架橋することにより特定波長の光に対して屈曲性を持たせたものである。また、この特定波長の光に対する屈曲性は、シス型アゾベンゼンがトランス型アゾベンゼンより短いことを利用している。特定波長の光が照射された面を構成するアゾベンゼンは光を吸収し、シス型に異性変異する。このとき光を吸収した層が架橋で繋がれた層を従えて収縮しようとするため光屈曲性プラスチック１９ｂ全体で屈曲が発生する。
【００４８】
なお、この光屈曲性プラスチック１９ｂの屈曲方向は照射する光の偏光の向きとアゾベンゼンの配向方向により決定される。したがって、構成するアゾベンゼンの配向方向を部分的に揃えて光を吸収する層を形成することにより、その配向方向に応じた偏光を照射することにより、光屈曲性プラスチック１９ｂの屈曲方向を制御することができる。つまり、可変形ミラー用光源２４から出射する光の波長及び偏光の向きを制御することにより光屈曲性プラスチック１９ｂの屈曲する方向を自由に調整することができ、ミラー層を所望の形状に変形することが可能となる。なお、上記アゾベンゼンとは全てのアゾベンゼン誘導体を含むものとする。
【００４９】
次に、ミラー層１９ａについて説明する。ミラー層１９ａはレーザ光源１６（図２参照）から出射されたレーザ光や、光ディスク１５（図２参照）から反射されてきたレーザ光を反射する役割を果たす。上述したように、可変形ミラー１９を変形制御することにより、ミラー層１９ａは所望の形状に変形されて、光ピックアップ装置４（図２参照）において発生する球面収差を局所的に補正することができる。
【００５０】
また、ミラー層１９ａを構成する材料としては、高反射率を有する材料が好ましく、例えば、Ａｕ、Ａｌ等の金属膜や、それらの合金膜等が用いられる。また、ミラー層１９ａは複数の膜を重ね合わせて形成しても構わない。
【００５１】
次に、可変形ミラー１９の製造方法について説明する。可変形ミラー１９はシート状の光屈曲性プラスチック１９ｂとミラー層１９ａにより構成されるが、透過性高分子シートを積層してもよい。
【００５２】
例えば、光屈曲性ミラー９は光屈曲性プラスチック１９ｂとミラー層１９ａの２層しか示されていないが、光屈曲性プラスチック１９ｂとミラー層１９ａの間に所定の強度の透過性高分子シートを設けることで光屈曲性ミラー全体の屈曲率を微調整することや屈曲性ミラーに一定の強度を持たせることが可能である。
【００５３】
これらの層は接着剤又は両面テープ等で均一に積層される必要がある。仮に、接着性にムラが生じた場合、光屈曲性プラスチックの屈曲方向や屈曲率に影響すると考えられるからである。
【００５４】
次に上記可変形ミラーを光ピックアップ装置４に用いた場合の作用について具体的に説明する。通常、ＣＤ，ＤＶＤ，ＢＤ等の異なる規格の光ディスクを再生する場合、カバー層の厚みがそれぞれ異なるため、球面収差が発生し再生信号が劣化するという問題が生じる。
【００５５】
この再生信号の劣化を解消するため、本実施形態では可変形ミラー１９を変形させ、可変形ミラー１９に入射するレーザ光の反射方向を局所的に変更し制御するものである。これにより、レーザ光を信号面上の適切なスポットに集光させることができ、規格の異なる光ディスク１５を再生することが可能となる。
【００５６】
なお、光ディスク１５のカバー層１５ｂの厚みのばらつきによる球面収差は通常、外側にいくほど収差値が大きくなる分布を示すため、このような収差を打ち消す収差補正パターンを可変形ミラー１９のミラー層１９ａ上に局所的に表出させることで解消することができる。
［実施例２］
【００５７】
次に本発明に係る第２の実施例について説明する。図４は本実施形態における光ピックアップ装置の光学系を示す図である。なお、実施例１と共通する部分には同一の符号を付して説明を省略する。本実施例においても実施例２と同様に、可変形ミラー１９はレーザ光源１６から出射した光を光ディスク１５の方向へ反射するが、本実施例において、可変形ミラー１９を制御する可変形ミラー用光源２４がミラー層１９ａ側に配置されている。
【００５８】
可変形ミラー用光源２４をミラー層１９ａ側に設けることにより可変形ミラー１９の背部に光源２４設置のためのスペースを確保する必要がなく、光ピックアップ装置の設計自由度が増す。また、レーザ光源１６から出射されるレーザ光に対してミラー層の面を凹状に屈曲変形させることができる。これにより、可変形ミラー１９に入射するレーザ光を効率よく補正収差し反射させることができる。
【００５９】
図５は本実施形態に係る可変性ミラー１９の構造を示すものである。また、ミラー層１９ａ側から特定波長の光を出射し可変形ミラー１９を屈曲変形させるためにはミラー層１９ａにハーフミラー性を有するものを用いる必要がある。
【００６０】
ミラー層１９ａ側に可変形ミラー用光源２４を設け特定波長の光である第１波長の光（実線矢印）をハーフミラー性を有するミラー層１９ａに照射した場合、光の一部は反射し一部はミラー層を透過し光屈曲性プラスチック１９ｂに入射する。このとき、第１波長の光が入射した面が収縮しミラー層１９ａの面は凹状に屈曲する（図５（ａ）参照）。
【００６１】
また、同様に第２波長の光（点線矢印）をハーフミラー性を有するミラー層１９ａに照射することによりミラー層１９ａを透過した光の一部はミラー層と接する光屈曲性プラスチック１９ｂの面に入射し凹状に変形した可変形ミラー１９ａは再び元の形状に復元される（図５（ｂ）参照）。
【００６２】
このように、可変形ミラー１９のミラー層１９ａ側に特定波長の光源を設けた場合においても可実施例１と同様に可変形ミラー１９の変形を制御し球面収差を補正することが可能である。
【００６３】
しかし、可変形ミラー１９のミラー層１９ａに入射する光は、可変形ミラー用光源２４から出射される特定波長の光以外にレーザ光源１６から出射されるレーザ光がある（図４参照）。このレーザ光はＲＢ、ＤＶＤ、ＣＤ等、光ディスクの規格の違いにより異なる波長のレーザ光を用いる必要がある。したがって、上記レーザ光により光屈曲性プラスチック１９ｂが屈曲または元の形状に復元する場合、可変形ミラー１９の変形を十分制御することができない。
【００６４】
しかし、光屈曲性プラスッチック１９ｂを屈曲又は復元させる光の特定波長は、光屈曲性プラスチック１９ｂを構成するジアゾベンゼン誘導体の種類によって一意的に選択することができる。
【００６５】
したがって、光屈曲性プラスチック１９ｂを屈曲させる第１波長の光及び第２波長の光がレーザ光に用いられる４０５ｎｍ、６５０ｎｍ、７８０ｎｍの波長と一致しないような光屈曲性プラスチック１９ｂを可変形ミラー１９に使用する必要がある。
【００６６】
次にハーフミラー性を有するミラー層１９ａについて説明する。本発明においてハーフミラー性とは透過率と反射率が必ずしも１対１に分割されることを意味しておらず、透過した特定波長の光により光屈曲性プラスチック１９ｂが屈曲又は復元できればよい。また、ミラー層１９ａには光透過機能に加えて特定波長のみを透過する機能や特定の偏向方向を有する光のみを透過する機能を備えたものを用いてもよい。また、ミラー層にミラーとして光を反射させる部分と光を透過させる部分とを、縞状又はドット上に形成してもよい。
【００６７】
このようにミラー層１９ａに光選択性を持たせることにより、光屈曲性プラスチック１９ｂの変形に効果のある光のみを効率的に得ることができる。
［実施例３］
【００６８】
次に本発明に係る第３の実施例について説明する。図６は本実施形態における光ピックアップ装置の光学系を示す図である。なお、実施例１と共通する部分には同一の符号を付して説明を省略する。本実施例においても実施例２と同様に、可変形ミラー１９のミラー層にはハーフミラー性を有するものを用い、ミラー層１９ａ側に配置された光源から特定波長の光源を照射し可変形ミラー１９を変形制御している。
【００６９】
しかし、本実施例は実施例２と異なり可変形ミラー用光源２４がレーザ光源と共通化されている。つまり、レーザ光源１６の位置から特定波長光を出射し可変形ミラー１９に照射させ、可変形ミラー１９の変形制御を行うものである。これにより、光ピックアップ装置４全体では新たに可変形ミラー用光源２４を設置するスペースを設ける必要がないため光ピックアップ装置４の小型化を図ることができる。
【００７０】
さらに、光屈曲性プラスチック１９ｂが４５０ｎｍのレーザ光を第１波長として屈曲し、６５０ｎｍのレーザ光を第２波長として元の形状に復元するものであれば、可変形ミラー用光源２４とレーザ光源１６を共通化することができる。
【００７１】
例えば、上述したように、通常規格の異なる光ディスク４を再生する場合、球面収差が発生するが、上記光屈曲性プラスチックを用い可変形ミラー１９を形成することにより、ＢＤを再生する際出射される４０５ｎｍのレーザ光が可変形ミラー１９に入射すると、レーザ光の一部は光ディスク１５の方向へ反射され、その他の光はミラー層１９ａを透過し光屈曲性プラスチック１９ｂを屈曲させる。
【００７２】
したがって、光屈曲性プラスチック１９ｂの変形調整を行なうことにより、光ディスク方向へ反射するレーザ光の収差を補正することができる。
【００７３】
また、ＤＶＤを再生する場合、６５０ｎｍのレーザ光が出射され可変形ミラー１９に入射する。このとき、ＤＶＤ再生前にＲＢを再生していた場合、可変形ミラー１９はＢＤで用いたレーザ光の球面収差を補正する形状に変形したままである。しかし、６５０ｎｍの波長は光屈曲性プラスチック１９ｂの屈曲を復元する第２波長の光と同一であるので、可変形ミラー１９のミラー層１９ａを透過したレーザ光は光屈曲性プラスチック１９ｂの面に入射し、屈曲変形した可変形ミラー１９を元の形状に復元する。
【００７４】
このとき、復元された可変形ミラー１９の形状が波長６５０ｎｍレーザ光の球面収差を補正する形状に設定されていれば、ＤＶＤの再生が可能となる。
【００７５】
以上より、レーザ光源１６からレーザ光を出射すれば、可変形ミラー１９を構成する光屈曲性プラスチック１９ｂがＲＤ又はＤＶＤのどちらに用いられるレーザ光かを感知し設計された形状に変形し球面補正をおこなう。
【００７６】
したがって、可変形ミラー１９を変形するのに用いる可変形ミラー用光源２４を設ける必要がなくなるとともに、光ディスク１５の種類を検知する装置及びそれに付随する制御部を設けなくとも規格の異なる２種類の光ディスクを再生することが可能となる。簡易に規格の異なる光ディスク１５を再生することができる。
【００７７】
なお、本実施例においては、ＲＤとＤＶＤの再生について述べたが、ＲＤとＣＤ、ＨＤ−ＤＶＤとＤＶＤ等波長の異なるレーザ光を用いて光ディスクを使用する場合であれば、それらに応じた光屈曲性プラスチック１９ｂを用いて可変形ミラー１９を構成することにより同様の効果が得られる。
【００７８】
また、本発明は上述した各実施形態に限定されるものではなく、種々の変更が可能であり、異なる実施形態にそれぞれ開示された技術的手段を適宜組み合わせて得られる実施形態についても本発明の技術的範囲に含まれる。
【産業上の利用可能性】
【００７９】
本発明の可変形ミラー１９を備える光ピックアップ装置４は、可変形ミラー１９を備えるために、正確に収差の補正を行うことができる。更に、可変形ミラーを変形させる駆動源が光源のみであるため、複雑な電気回路が必要ない。このため可変形ミラー１９の作製が容易に行え、低コストで軽量小型性に優れた光ピックアップ装置４を提供することができるとともに、前記光ピックアップ装置４を用いた光ディスク装置１を提供することができる。
【図面の簡単な説明】
【００８０】
【図１】は、本実施形態の光ディスク装置の構成を示すブロック図である。
【図２】は、本実施形態の光ピックアップ装置の光学系を示す概略図である。
【図３】は、本実施形態に係る可変形ミラーの構成を示す概略斜方図である。
【図４】は、本実施形態の光ピックアップ装置の光学系を示す概略図である。
【図５】は、本実施形態に係る可変形ミラーの構成を示す概略斜方図である。
【図６】は、本実施形態の光ピックアップ装置の光学系を示す概略図である。
【符号の説明】
【００８１】
１            光ディスク装置
２            スピンドルモータ
３            スピンドルモータ制御部
４            光ピックアップ装置
６            可変形ミラー用光源制御部
１５          光ディスク
１５ａ        記録面
１６          レーザ光源
１８          ビームスプリッタ
１９          可変形ミラー
１９ａ        ミラー層
１９ｂ        光屈曲性プラスチック
２０          １／４波長板
２１          対物レンズ（集光レンズ）
２２          集光レンズ
２３          光検出器
２４          可変形ミラー用光源
【図１】
2007334995.tif 000003
【図２】
2007334995.tif 000004
【図３】
2007334995.tif 000005
【図４】
2007334995.tif 000006
【図５】
2007334995.tif 000007
【図６】
2007334995.tif 000008